(57)【要約】【課題】  沈設された鋼管杭の中心軸が芯ずれや杭先端の切断平面が傾いていても建屋構造物の柱を傾かせることなく鋼管杭の杭先端に連結支持でき、さらに建屋構造物の柱を連結支持する鋼管杭の杭先端側を手間やコストが余分にかかる溶接を用いることなく補強することにある。【解決手段】  鋼管杭６の杭先端６１と建屋構造物の柱７の下端のベース板７１との間に施工用ジョイント盤１を取り付け、鋼管杭６の杭先端側内部６２及び杭先端側６３の外周側に注入し硬化したモルタル２１で鋼管杭６の杭先端側６３に施工用ジョイント盤１を固定し、施工用ジョイント盤１の調整連結板３の移動調整及び調整連結板３のネジ棒３１に螺合する下部締付金具３２と支承突起３４で微調整する。【選択図】        図５
2010255329.tif 000002
【特許請求の範囲】
【請求項１】
地盤に沈設した鋼管杭を所望長さで切断し、鋼管杭の切断後の杭先端側に連通孔をあけ、注入されるモルタルが流出するのを防ぐ内部モルタル受板を杭先端側内部に挿入して取り付け、支持盤の支持外筒を杭先端側の外周側に装着して支持外筒の上端側に固定された支持盤の支持板を杭先端に載置した後に、支持外筒の内周側と杭先端側の外周側との間に注入されるモルタルが流出するのを防ぐ外部モルタル受板を支持外筒の下端に取り付け、モルタルを杭先端側内部に注入して杭先端側内部及び支持外筒の内周側と杭先端側の外周側との間に充填し、硬化したモルタルで支持盤を杭先端側に固定し、モルタル硬化後に杭先端より広い上記支持板表面に、上面に複数のネジ棒が植設された調整連結板の上面中心の支承突起の上端が設置予定位置の建屋構造物の柱の中心軸に一致するように且つ調整連結板の各ネジ棒を建屋構造物の柱の下端に固着されたベース板に形成された各ネジ棒孔に一致するように上記調整連結板を移動調整しながら固定し、調整連結板の上面に植設された各ネジ棒に各下部締付金具をそれぞれ各下部締付金具の上面を結ぶ仮想平面が所定高さの水平面になるように微調整しながら螺合し、上記ベース板を下ろして該ベース板の各ネジ棒孔に各ネジ棒を挿通させ、上記ベース板の下面を各下部締付金具の上面に接した後に、各ネジ棒に上部締付金具を螺合して締め付けて、建屋構造物の各柱を各鋼管杭の杭先端に、上記支持盤及び調整連結板から構成される施工用ジョイント盤を介して連結支持させることを特徴とする建屋基礎の施工法。
【請求項２】
請求項１の建屋基礎の施工法において使用され、沈設された鋼管杭の切断後の杭先端と建屋構造物の柱の下端に固着されたベース板との間に取り付けられ鋼管杭の杭先端に建屋構造物の柱の下端を連結支持させる建屋基礎の施工用ジョイント盤であって、鋼管杭の杭先端側の外周側に装着され注入硬化後のモルタルで固定される支持外筒と、支持外筒の外周側面に取り付けられ上方に向かって外方に拡張する複数の外部補強板と、支持外筒の上端に固定され外部補強板で補強支持され支持外筒より広い鋼管杭の杭先端に載置される支持外筒より広い平面板状の支持板と、施工時に鋼管杭の切断後の杭先端に載置されモルタル注入孔を有し該杭先端より広い平面板状の支持板と、杭先端側内部に挿入されて取り付けられ鋼管杭の杭先端側内部に注入されるモルタルが杭内部を落下して流出するのを防ぐ内部モルタル受板と、支持外筒の下端に取り付けられ支持外筒の内周側と杭先端側の外周側との間に注入されるモルタルが流出するのを防ぐ外部モルタル受板と、を備えた支持盤と、
施工時に上記ベース板の下面を上面で接して支持し高さ方向微調整可能な下部締付金具と該下部締付金具と協動して上記ベース板の上面を挟圧する上部締付金具とが螺合されるネジ棒が上記ベース板に形成されたネジ棒孔位置に対応してその上面に複数植設され上面中心に上端が丸みを帯びた高さ調節自在な支承突起を備え施工時に上記ベース板の設置予定位置に合わせて上記支持盤の支持板の表面上で移動調整されて固定される調整連結板と、から少なくとも構成したことを特徴とする建屋基礎の施工用ジョイント盤。
【発明の詳細な説明】
【技術分野】
【０００１】
この発明は、地盤に沈設した鋼管杭の杭先端に建屋構造物の柱を連結支持させる技術に係り、特に、沈設された鋼管杭の中心軸が芯ずれを起こしていて建屋構造物の柱の中心軸を設置予定位置で鋼管杭の杭先端に連結支持でき、しかも鋼管杭の杭先端の切断平面が傾いていても建屋構造物の柱を傾かせることなく鋼管杭の杭先端に連結支持でき、さらに建屋構造物の柱を連結支持する鋼管杭の杭先端側を手間やコストが余分にかかる溶接を用いることなく補強する建屋基礎の施工法及び建屋基礎の施工用ジョイント盤に関するものである。
【背景技術】
【０００２】
建屋基礎の施工法として、特開平１１−１８１７９０（特許第３０９５３７６号）がある。この施工法は、地盤に沈設した鋼管杭を所望長さで切断し、中央にボルトを嵌合した杭頭キャップを杭先端に嵌合すると共に通孔を有する二分割された杭側ベースプレートで杭先端を挟み込んだ後杭先端に溶着し、柱を立設した柱側ベースプレートをボルト上に載置し、通孔に合わせて柱側ベースプレートに穿設したアンカー穴と通孔に仮ボルトを挿通し、両ベースプレート間に挟み板を挟入して柱の位置決めを行った後、溝を切欠した挟みプレートで仮ボルトを挟み込み、仮ボルト抜き取り後に高力ボルトで両ベースプレートを締結してなるものである。
【０００３】
しかし、鋼管杭を地盤中に沈設する場合、芯ずれを起こすことなく所定位置に鋼管杭の中心を正確に沈設することは殆ど不可能であり、沈設された鋼管杭の中心軸と建屋構造物の柱の中心軸との間では数cm程の芯ずれが生じるが、前記特開平１１−１８１７９０の発明にあっては、この芯ずれについて対策が講じられていない。
また、鋼管杭の杭先端を正確に水平に切断するのは難しく、このため切断された杭先端に溶接される杭側ベースプレートも水平に取り付けるのが難しい。そこで、前記特開平１１−１８１７９０の発明にあっては、少し傾いている杭側ベースプレートに柱側ベースプレートを水平に取り付けるために、両ベースプレート間に薄い挟み板を適当数枚重ねて挟入して調整しているが、現場作業では１mm以下の傾きの微調整は困難と考えられる。その一方で、僅かな傾きであっても建屋構造物が高い場合には高い位置の水平方向のずれは大きく現れてその影響は無視できない。
さらにまた、前記特開平１１−１８１７９０の発明にあっては、鋼管杭側の補強として杭頭キャップを杭先端に嵌合しているが、鋼管杭の杭先端及びその下部側には建屋構造物の柱の連結によって大きな曲げモーメントが作用するので、鋼管杭の杭先端のみの補強では十分でなく、杭先端直近下部側となる杭先端側も同時に補強する必要があると考えられる。
【０００４】
そこで、本願の出願人は、沈設された鋼管杭の中心軸が芯ずれを起こしていても建屋構造物の柱の中心軸を設置予定位置で鋼管杭の杭先端に連結支持でき、しかも鋼管杭の杭先端の切断平面が水平面に対して傾いていても建屋構造物の柱を傾かせることなく鋼管杭の杭先端に連結支持でき、さらに建屋構造物の柱を連結支持する鋼管杭の杭先端側を溶接を用いて補強する建屋基礎の施工法及び建屋基礎の施工用ジョイント盤を発明し、これを特許出願（特開２００５−２００８７９）し、特許（特許第３６０９０８３号）を取得している。
【先行技術文献】
【特許文献】
【０００５】
【特許文献１】特開平１１−１８１７９０（特許第３０９５３７６号）
【特許文献２】特開２００５−２００８７９（特許第３６０９０８３号）
【発明の概要】
【発明が解決しようとする課題】
【０００６】
ところで、前記特開２００５−２００８７９の発明にあっては、図１４に図示するように、鋼管杭６の杭先端６１に施工用ジョイント盤８の支持筒８１の下端を突き合わせ溶接で一体化しているが、現場溶接であるので溶接の品質を一定に保つのが困難であると共に、特に突き合わせ溶接であるため、開先の取り方など一定の溶接品質が要求され、そのため、溶接部分のＸ線検査も要求される。特に、近時の構造物耐震偽装問題が発覚してからは検査も厳しくなり、施工期間が非常に長くなっている。
また、鋼管杭６の杭先端６１に施工用ジョイント盤８の支持筒８１の下端を突き合わせ溶接するためには、図１４に図示するように鋼管杭６の杭先端６１の周囲を地盤表面から１ｍ程度掘削して、溶接作業が行えるようにする必要がある。
このように、手間やコストが余分にかかるという課題があった。
【０００７】
この発明は、上記のような課題に鑑み、その課題を解決すべく創案されたものであって、その目的とするところは、沈設された鋼管杭の中心軸が芯ずれを起こしていても建屋構造物の柱の中心軸を設置予定位置で鋼管杭の杭先端に連結支持でき、しかも鋼管杭の杭先端の切断平面が水平面に対して傾いていても建屋構造物の柱を傾かせることなく鋼管杭の杭先端に連結支持でき、さらに建屋構造物の柱を連結支持する鋼管杭の杭先端側を手間やコストが余分にかかる溶接を用いることなく補強することのできる建屋基礎の施工法及び建屋基礎の施工用ジョイント盤を提供することにある。
【課題を解決するための手段】
【０００８】
以上の課題を達成するために、請求項１の発明は、地盤に沈設した鋼管杭を所望長さで切断し、鋼管杭の切断後の杭先端側に連通孔をあけ、注入されるモルタルが流出するのを防ぐ内部モルタル受板を杭先端側内部に挿入して取り付け、支持盤の支持外筒を杭先端側の外周側に装着して支持外筒の上端側に固定された支持盤の支持板を杭先端に載置した後に、支持外筒の内周側と杭先端側の外周側との間に注入されるモルタルが流出するのを防ぐ外部モルタル受板を支持外筒の下端に取り付け、モルタルを杭先端側内部に注入して杭先端側内部及び支持外筒の内周側と杭先端側の外周側との間に充填し、硬化したモルタルで支持盤を杭先端側に固定し、モルタル硬化後に杭先端より広い上記支持板表面に、上面に複数のネジ棒が植設された調整連結板の上面中心の支承突起の上端が設置予定位置の建屋構造物の柱の中心軸に一致するように且つ調整連結板の各ネジ棒を建屋構造物の柱の下端に固着されたベース板に形成された各ネジ棒孔に一致するように上記調整連結板を移動調整しながら固定し、調整連結板の上面に植設された各ネジ棒に各下部締付金具をそれぞれ各下部締付金具の上面を結ぶ仮想平面が所定高さの水平面になるように微調整しながら螺合し、上記ベース板を下ろして該ベース板の各ネジ棒孔に各ネジ棒を挿通させ、上記ベース板の下面を各下部締付金具の上面に接した後に、各ネジ棒に上部締付金具を螺合して締め付けて、建屋構造物の各柱を各鋼管杭の杭先端に、上記支持盤及び調整連結板から構成される施工用ジョイント盤を介して連結支持させる手段よりなるものである。
【０００９】
また、以上の課題を達成するために、請求項２の発明は、請求項１の建屋基礎の施工法において使用され、沈設された鋼管杭の切断後の杭先端と建屋構造物の柱の下端に固着されたベース板との間に取り付けられ鋼管杭の杭先端に建屋構造物の柱の下端を連結支持させる建屋基礎の施工用ジョイント盤であって、鋼管杭の杭先端側の外周側に装着され注入硬化後のモルタルで固定される支持外筒と、支持外筒の外周側面に取り付けられ上方に向かって外方に拡張する複数の外部補強板と、支持外筒の上端に固定され外部補強板で補強支持され支持外筒より広い鋼管杭の杭先端に載置される支持外筒より広い平面板状の支持板と、施工時に鋼管杭の切断後の杭先端に載置されモルタル注入孔を有し該杭先端より広い平面板状の支持板と、杭先端側内部に挿入されて取り付けられ鋼管杭の杭先端側内部に注入されるモルタルが杭内部を落下して流出するのを防ぐ内部モルタル受板と、支持外筒の下端に取り付けられ支持外筒の内周側と杭先端側の外周側との間に注入されるモルタルが流出するのを防ぐ外部モルタル受板と、を備えた支持盤と、
施工時に上記ベース板の下面を上面で接して支持し高さ方向微調整可能な下部締付金具と該下部締付金具と協動して上記ベース板の上面を挟圧する上部締付金具とが螺合されるネジ棒が上記ベース板に形成されたネジ棒孔位置に対応してその上面に複数植設され上面中心に上端が丸みを帯びた高さ調節自在な支承突起を備え施工時に上記ベース板の設置予定位置に合わせて上記支持盤の支持板の表面上で移動調整されて固定される調整連結板と、から少なくとも構成した手段よりなるものである。
【発明の効果】
【００１０】
課題を解決するための手段よりなるこの発明に係る建屋基礎の施工法及び建屋基礎の施工用ジョイント盤によれば、Ｘ線検査などが要求される突き合わせ溶接に代えて検査が不要なモルタルを使用して施工用ジョイント盤を杭先端に固定することができるため、厳しい検査を受けることもなく、施工期間が検査で長期化するのを防ぐことができる。しかも、鋼管杭の杭先端に施工用ジョイント盤の下端を溶接する必要がないので、溶接のために地盤中に沈設された鋼管杭の杭先端側の周囲の土砂を取り除く必要がなく、このため掘削作業を不要にでき、その分作業効率を高めることができる。このように、手間やコストが余分にかかるのを防ぐことができる。
鋼管杭の杭先端側には大きな曲げモーメントが作用するので、これに対処するために鋼管杭の杭先端側の例えば３ｍ程の長さは鋼管杭の板厚を厚くしている場合が多いが、この発明では鋼管杭の杭先端側の中空部分及びその外周側に、モルタルの注入をしていて、中空部分から内部が詰まった中実部分に代えると共にその外周側もモルタルによって補強されているので、これにより曲げ剛性が高められ、その結果、鋼管杭の板厚を逆に薄くすることができ、鋼管杭の材料費を少し安くすることができる等、極めて新規的有益なる効果を奏するものである。
【図面の簡単な説明】
【００１１】
【図１】この発明を実施するための形態を示す建屋構造物の柱の下端と鋼管杭の杭先端との間に取り付けられた施工用ジョイント盤の斜視図である。
【図２】（Ａ）はこの発明を実施するための形態を示すベース板と調整連結板との分解斜視図である。（Ｂ）はこの発明を実施するための形態を示す調整連結板の側面図である。
【図３】（Ａ）はこの発明を実施するための形態を示す施工用ジョイント盤の支持盤の側断面図、（Ｂ）は同図（Ａ）の平面図である。
【図４】（Ａ）はこの発明を実施するための形態を示す施工用ジョイント盤が取れ付けられる前の杭先端側の側断面図、（Ｂ）はこの発明を実施するための形態を示す施工用ジョイント盤が取れ付けられた後の側断面図である。
【図５】この発明を実施するための形態を示す調整連結板が取り付けられるまでの標準的な鋼管杭の概略施工手順図である。
【図６】この発明を実施するための形態を示す標準的な施工状態の側面図である。
【図７】この発明を実施するための形態を示す芯ずれを起こしている場合の施工状態の側面図である。
【図８】この発明を実施するための形態を示す鋼管杭の杭先端の切断面が傾いている場合の施工状態の側面図である。
【図９】この発明を実施するための形態を示す建屋構造物の柱の下端と鋼管杭の杭先端との間に取り付けられた他例の施工用ジョイント盤の斜視図である。
【図１０】（Ａ）はこの発明を実施するための形態を示す他例のベース板と調整連結板との分解斜視図である。（Ｂ）はこの発明を実施するための形態を示す他例の調整連結板の側面図である。
【図１１】この発明を実施するための形態を示す標準的な他例の施工状態の側面図である。
【図１２】この発明を実施するための形態を示す芯ずれを起こしている場合の他例の施工状態の側面図である。
【図１３】この発明を実施するための形態を示す鋼管杭の杭先端の切断面が傾いている場合の他例の施工状態の側面図である。
【図１４】従来説明図である。
【発明を実施するための形態】
【００１２】
以下、図面に記載の発明を実施するための形態に基づいて、この発明をより具体的に説明する。
図において、建屋基礎の施工法において使用される施工用ジョイント盤１は、沈設された鋼管杭６の切断後の杭先端６１と建屋構造物の柱７の下端との間に取り付けられて鋼管杭６の杭先端６１に建屋構造物の柱７の下端を連結支持させる部材で、支持盤２と調整連結板３から主に構成される。
【００１３】
施工用ジョイント盤１を構成する支持盤２は、鋼管杭６の杭先端側内部６２及び杭先端側６３の外周側に注入され硬化後に鋼管杭６の杭先端直近下部側となる杭先端側６３を内外から補強するモルタル２１と、鋼管杭６の杭先端側６３の外周側に装着され硬化後のモルタル２１で固定される支持外筒２２と、支持外筒２２の外周側に取り付けられ上方に向かって拡張する外部補強板２３と、支持外筒２２の上端に固定され外部補強板２３で補強支持され鋼管杭６の杭先端６１に載置される平面板状の支持板２４と、杭先端側内部６２に注入された硬化前のモルタル２１が鋼管杭６の内部を落下して流出するのを防ぐ内部モルタル受板２５と、支持外筒２２の内周側と杭先端側６３の外周側との間に注入された硬化前のモルタル２１が落下して流出するのを防ぐ外部モルタル受板２６とを少なくとも備えている。
【００１４】
施工用ジョイント盤１を構成する調整連結板３は、施工時に柱７の下端の設置予定位置に合わせて支持板２４の表面上で移動調整されて溶着され下部締付金具３２及び上部締付金具３３が螺合されるネジ棒３１が上面に植設され上面中心に支承突起３４が設けられたものから少なくとも構成される。
【００１５】
施工用ジョイント盤１を構成する支持盤２は、支持外筒２２が沈設された鋼管杭６の切断後の杭先端６１の杭先端側内部６２及び杭先端側６３の外周側に注入されて硬化したモルタル２１によって杭先端６１に固定される。沈設された鋼管杭６の切断後の杭先端側内部６２及び杭先端側６３の外周側に注入されるモルタル２１には例えば無収縮のモルタルが使用される。
【００１６】
その後、鋼管杭６の杭先端６１に固定された支持盤２の支持板２４に、建屋構造物の柱７の下端のベース板７１が連結固定される調整連結板３が、後述の隅肉溶接ａ（図１、図６〜図８参照）又はボルト３５（図９〜図１３参照）によって固定される。支持盤２は建屋構造物の柱７の下端のベース板７１と鋼管杭６の杭先端６１との間に位置して、建屋構造物の全荷重を支えて鋼管杭６の杭先端側６３に逃がす役目を果たす。
【００１７】
支持外筒２２は、鋼管杭６の切断された杭先端６１の外周側に装着される。支持外筒２２の内径は杭先端側６３の外径よりも十分に大きく、内径と外径との間にモルタル２１が十分に充填できる隙間を有している。支持外筒２２は鋼製の円筒板から形成されている。支持外筒２２は、杭先端側６３の外周側で硬化したモルタル２１と連通孔を通じて杭先端側内部６２と硬化したモルタル２１とによって、杭先端側６３に固定される。支持筒２２は建屋構造物の柱７を通じて作用する荷重を支えてその荷重を鋼管杭６の杭先端側６３に直接伝達する機能を果たす。
【００１８】
支持外筒２２の外周側面には支持外筒２２の中心から周囲に向けて放射状に配置された鋼製の外部補強板２３が配置されている。各外部補強板２３はその垂直な一側端が支持外筒２２の外周側面に溶着されて固設されている。各外部補強板２３は支持外筒２２の外周側面からの張り出し長さが上方に向かって拡張して逆角錐型の形状になっている。各外部補強板２３は外側から支持板２４を補強してその剛性を高めている。
【００１９】
図では例えば外部補強板２３は支持外筒２２の中心から円周方向に４５度の等角度で八方向の放射状に配置されているが、各外部補強板２３は外方側への張り出し長さが一つおきに交互に長短になっている。即ち、張り出し長さの長い外部補強板２３は９０度の等角度で十字状に配置され、この十字状の配置の中間に張り出し長さが短い外部補強板２３が４５度の角度ずれた状態で十字状に配置されている。
【００２０】
張り出し長さが長短の各外部補強板２３は、その下端側の長さは皆同一であるが、上方に向かって張り出し長さが異なる。即ち、張り出し長さが長い方の外部補強板２３は上方に向かって張り出し長さが長く、張り出し長さが短い方の外部補強板２３は上方に向かって張り出し長さが短い。各外部補強板２３の張り出し側の側端は上方に向かって斜め前方に直線状に傾斜している。
【００２１】
支持外筒２２及び各外部補強板２３の上側には平面板状の支持板２４が溶着されて固設されている。支持盤２は、平面板状の支持板２４が沈設された鋼管杭６の切断後の杭先端６１に載置されてモルタル２１の硬化によって固定される。鋼管杭６の杭先端６１に載置される平板状の支持板２４は、その後に注入されるモルタル２１によって、鋼管杭６の杭先端６１に固定される。支持板２４はその中央側が鋼管杭６の杭先端６１を塞ぐように載置されて取り付けられている。
【００２２】
支持板２４は平面から見て例えば正方形の形状をしており、支持板２４の下面の正方形の対角線位置に張り出し長さが長い方の十字状に配置された外部補強板２３の上端が溶着されている。また、支持板２４の下面の正方形の相対向する二辺の中点同士を結ぶ十字線位置に張り出し長さが短い方の十字状に配置された外部補強板２３の上端が溶着されている。
【００２３】
支持盤２の上部に位置する例えば正方形の形状を有する支持板２４の一辺の長さは、支持板２４の下部に位置する円形の支持外筒２２の直径の数倍あり、支持盤２は上方に向けて拡張する逆角錐型の形状になっている。下部の支持外筒２２に比べて上部の支持板２４を広くするのは、建屋構造物の製作誤差及び施工誤差による沈設された鋼管杭６の中心軸ｈの芯ずれに対応できるようにするためである。
【００２４】
即ち、製作誤差及び施工誤差によって、建屋構造物の柱７の中心軸ｋと鋼管杭６の杭先端６１の中心軸ｈとは一致せず、建屋構造物の柱７の中心軸ｋは鋼管杭６の杭先端６１の中心軸ｈの位置から３６０度の全方向の何れかの方向にずれることになるが、この全方向の何れかの方向のずれに対応できるように、下部の支持外筒２２に比べて上部の支持板２４を広くしているのである。
【００２５】
支持板２４の中央側つまり鋼管杭６の杭先端側内部６２に位置する箇所には、モルタル２１を注入するためのモルタル注入孔２４ａが形成されている。このモルタル注入孔２４ａの周囲には複数の空気排出孔２４ｂが円周方向に等間隔で形成されている。空気排出孔２４ｂは杭先端側６３の外周側と支持外筒２２の内周側との間に位置するように形成されている。空気排出孔２４ｂは、モルタル注入孔２４ａからのモルタル２１の注入時に、鋼管杭６の杭先端側内部６２から杭先端側６３の側面に形成された連通孔６３ａを通って杭先端側６３の外周側と支持外筒２２の内周側との間に押し出された空気の排出孔として使用される。
【００２６】
支持外筒２２の内周側面の上端側には等間隔で放射状に複数のガイド兼補強リブ２２ａが取り付けられている。ガイド兼補強リブ２２ａは隅肉溶接で固着して配置されている。叉支持外筒２２の内周側面の下部側には滑り止め２２ｂが取り付けられている。この滑り止め２２ｂは内周側面の全周又は一部に隅肉溶接で固着されている。ガイド兼補強リブ２２ａは上端面が水平に形成され、水平な上端面は支持板２４の下面に当接する位置に取り付けられていて、モルタル注入孔２４ａ及び空気排出孔２４ｂによって支持板２４の強度が低下するのを補強する。
【００２７】
また、ガイド兼補強リブ２２ａは先端面が上下に垂直に形成され、下部側は斜め下向きの傾斜面に形成され下方に向かって拡開していることにより、支持外筒２２を杭先端側６３の外側に嵌合する場合の位置決めのガイドとして機能しスムースな取り付けを可能にし、又上下垂直な先端面が取り付け時のずれ止め機能を果たす。さらに、ガイド兼補強リブ２２ａの基端が支持外筒２２の内周側面に溶接されて固定され、先端の上下垂直面が杭先端側６３の外周側面に当接することで杭先端側６３を外側から補強する。
【００２８】
杭先端側６３の側周面には複数の連通孔６３ａが形成されている。連通孔６３ａは現場で例えばガス切断で孔があけられる。連通孔６３ａは、注入されたモルタル２１を杭先端側６３の内外によく行き渡せると共に、モルタル２１と杭先端側６３との付着を高める役目を果たす。さらに、連通孔６３ａは、内部モルタル受板２５を取り付ける場合に利用される。
【００２９】
内部モルタル受板２５は、鋼管杭６の杭先端側内部６２に注入されたモルタル２１が特に硬化する前の流動性を有する場合に、杭内部を落下して流出するのを防いで杭先端側内部６２に留まらせる役目を果たす。内部モルタル受板２５は、杭先端側６３の相対向する両側に形成された連通孔６３ａに上端側のフック部分がそれぞれ引っ掛けられた例えば棒状又はワイヤーの吊り具２５ａの下端側に連結されて吊持されている。
【００３０】
内部モルタル受板２５は、円形の鋼管杭６の杭先端側内部６２の内径と略同一の例えば円形の形状をしており、また杭先端側内部６２に挿入する際に内周側面に図示しない滑り止めが固着されて突起している場合、この突起する滑り止めを通過できる程度の弾性変形するプラスチック製が使用される。
【００３１】
外部モルタル受板２６は、鋼管杭６の杭先端側６３の外周側面に注入されたモルタル２１が特に硬化する前の流動性を有する場合に、外周側面を落下して流出するのを防いで杭先端側６３の外周側面に留まらせる役目を果たす。
【００３２】
外部モルタル受板２６は例えば２個の半円形リング板から構成されていて、これを両側から杭先端側６３の外周側面に密着させた状態で、支持外筒２２の下端周縁に溶接で仮付けして固設される。外部モルタル受板２６に作用するモルタル２１は支持外筒２２と杭先端側６３の外周との隙間に充填される量であり、その重量は余りないので仮付け溶接で十分であり、溶接に手間取ることはない。
【００３３】
鋼管杭６の切断後の杭先端側６３の外周側面には、必要に応じて滑り止め６３ｂがその全周又は一部に隅肉溶接によって固着される。滑り止め６３ｂは、硬化後の支持外筒２２の内周側と杭先端側６３の外周側との間に充填されたモルタル２１の内周側面と凹凸状に密着して、杭先端側６３の外周側面とモルタル２１の内周側面との滑り抵抗を高めて、支持外筒２２と鋼管杭６の杭先端側６３との曲げ剛性を高める。また硬化後のモルタル２１が滑り落下するのを防ぐ。滑り止めは施工用ジョイント盤１が杭先端６１に取り付けられる前に行われる。
【００３４】
調整連結板３は、水平方向のずれ及び傾きを調整して建屋構造物の柱７を支持盤２に連結固定させる役目を果たすもので、建屋構造物の柱７の中心軸ｋの位置に該調整連結板３の上面中心３ａの位置を移動調整して一致させた後に、現場において支持盤２の上部の支持板２４の表面に後述の隅肉溶接ａ（図１、図６〜図８参照）又はボルト３５（図９〜図１３参照）により固定される。
【００３５】
調整連結板３は建屋構造物の柱７の下端に固着されたベース板７１と同形状の鋼製の平面板状の形状からなり、その上面にはベース板７１に形成された複数のネジ棒孔７２の位置に対応する箇所に複数のネジ棒３１が上向きに垂直に植設されている。ネジ棒３１は例えば調整連結板３の上面に下向きに穿設されたネジ孔にその根元側が螺入されて植設されているが、溶接によって植設されることもある。
【００３６】
各ネジ棒３１の側周面には螺旋状にネジ山が形成されている。建屋構造物の柱７の下端のベース板７１に形成されるネジ棒孔７２は、一般に中央の柱７部分の周辺側に等間隔で形成されており、このため、ネジ棒３１も調整連結板３の表面の中央の周辺側に等間隔で植設されている。ネジ棒３１には例えば高張力ボルトが使用される。
【００３７】
調整連結板３の表面に植設された各ネジ棒３１には、嵌合されるベース板７１を挟んでその下側と上側に下部締付金具３２と上部締付金具３３とが螺合される。下部締付金具３２及び上部締付金具３３は環状から形成され、中央の貫通孔の内周側面にはネジ棒３１の側周面のネジ山に対応する螺旋状のネジ山が形成されている。
【００３８】
各下部締付金具３２の上面にベース板７１の下面が直接接することにより、各下部締付金具３２は建屋構造物の柱７を通じて作用する荷重を直接支えてネジ棒３１を通じて支持盤２側に伝達する機能を果たす。即ち、複数の下部締付金具３２は、これら複数の下部締付金具３２の貫通孔の内周側面のネジ山とネジ棒３１の側周面のネジ山との係合で建屋構造物の全荷重を支えることができるようになっている。
【００３９】
しかも下部締付金具３２はネジ棒３１に螺合されているため、何れかの方向に少し回すことにより、上下方向に微少移動でき、下部締付金具３２の高さを微調整することが可能である。このため、調整連結板３の表面が傾いて水平でない場合には、各ネジ棒３１に螺合されている下部締付金具３２の高さを微調整して下部締付金具３２の上面が水平になるように調整することができる。
【００４０】
上部締付金具３３は、下部締付金具３２の上面に接して支えられる建屋構造物の柱７のベース板７１が振動や曲げモーメントの働きによって上向きの外力が作用して上方に移動したり外れたりするのを阻止する機能を果たす。即ち、複数の上部締付金具３３は、これら複数の上部締付金具３３の貫通孔の内周側面のネジ山とネジ棒３１の側周面のネジ山との係合で上向きに作用する外力に抵抗できるようになっている。
【００４１】
支持盤２の上部の支持板２４の表面に取り付けられる調整連結板３は、施工誤差などにより水平にならず僅かに傾いて固着されることがある。このため、周辺側にネジ棒３１が植設された調整連結板３の上面中心３ａには、その周囲の全方向の何れかの方向に僅かに傾斜した状態でも水平状態のベース板７１の中心を支承する支承突起３４が高さ調節自在に設けられている。
【００４２】
支承突起３４は例えば棒状の形状を有しその側周面には螺旋状にネジ山が形成され、調整連結板３の上面中心３ａには下向きにネジ孔が穿設され、このネジ孔に支承突起３４の下部側が螺入して高さが調節される。ベース板７１の下面が接する支承突起３４の上端側は丸み帯びた形状をしていて、ベース板７１に対して相対的に支承突起３４が３６０度の全方向の何れかの方向に傾いた状態で支持できるようになっている。
【００４３】
また、前記したように調整連結板３は支持盤２の上部の支持板２４の表面に隅肉溶接ａ又はボルト３５によって固定されるが、図１０に図示するボルト３５で固定される場合には調整連結板３の周縁側にはボルト３５を螺入挿通させるためのネジ孔３５ａが上下方向に穿設されている。ボルト３５は、その下部側がこのネジ孔３５ａを螺入挿通し、その下側の支持板２４に現場で穿設されるネジ孔に螺合することで、調整連結板３を支持板２４に固定させる構造になっている。
【００４４】
次に、上記施工用ジョイント盤を用いた建屋基礎の施工法について以下説明する。
所定位置の地盤中に鋼管杭６を所定の深さに沈設する機械を用いて沈設させる。沈設された鋼管杭６は、打設時の施工状態や地盤の状態によって、真っ直ぐに沈設されずに僅かに傾いたり、位置がずれたりすることがある。
【００４５】
このとき、従来の特開２００５−２００８７９と異なり、鋼管杭６の杭先端６１に施工用ジョイント盤１の下端を溶接する必要がないので、溶接のために地盤中に沈設された鋼管杭６の杭先端側６３の周囲の土砂を取り除く必要がなく、このため掘削作業を不要にでき、その分作業効率を高めることができる。
【００４６】
切断機を使用して、地盤の表面から一部突出する鋼管杭６の杭先端側６３を所望の長さで水平に切断する。この切断作業は現場作業であり、工場での切断作業のように正確に水平切断することは困難で傾き誤差が生じ易い。
【００４７】
切断された鋼管杭６の杭先端６１に施工用ジョイント盤１を取り付ける前に、杭先端側６３の側面に連通孔６３ａをあける。連通孔６３ａは相対向する面に上下に合計で例えば４箇所にあけるが、鋼管杭６の管径が小さい場合には２箇所になる。連通孔６３ａは杭先端側内部６２に注入したモルタル２１をその外周側に流出させる通路であるため、下側の孔の直径を大きくあける。連通孔６３ａの孔あけ作業は例えばガスを使って行われる。
【００４８】
杭先端側内部６２に内部モルタル受板２５を取り付ける。例えば４本の吊り具２５ａの下端に引っ掛けられた内部モルタル受板２５を杭先端側内部６２に挿入して、４本の吊り具２５ａの先端のフックを先ほどあけた連通孔６３ａにそれぞれ引っ掛ける。これにより、内部モルタル受板２５は杭先端側内部６２の上部側に吊持される。また、杭先端側６３の外周側面に必要に応じて、連通孔６３ａを開ける前に滑り止め６３ｂをその全周又は一部に隅肉溶接によって固着する。
【００４９】
この後に施工用ジョイント盤１の取り付け作業が行われる。施工用ジョイント盤１の取り付け作業は、施工用ジョイント盤１を構成する支持盤２の支持板２４の下面に固設されている支持外筒２２を杭先端側６３の外周側に装着して支持板２４を杭先端６１に載せて取り付ける。支持外筒２２の内周側面の上端側にはガイド兼補強リブ２２ａが取り付けられているので、このガイド兼補強リブ２２ａを利用することにより、支持外筒２２は杭先端側６３の外周側にずれることなくその中央が正確に装着される。半円形リング板に２分割されている外部モルタル受板２６を杭先端側６３を両側から挟むようにして、支持外筒２２の下端に取り付け、仮付け溶接で固定する。
【００５０】
施工用ジョイント盤１を取り付ける前に、必要に応じて、鋼管杭６の杭先端側内部６２の内周側面の全周又は一部に図示しない滑り止めが取り付けられる。滑り止めは硬化後のモルタル２１の外周側面と凹凸状に密着して、モルタル２１の外周側面と杭先端側内部６２の内周側面との滑り抵抗を高めて、鋼管杭６の杭先端側６３の曲げ剛性を高める。また硬化後のモルタル２１が杭先端側内部６２を滑り落下するのを防ぐ。なお、滑り止めを杭先端側内部６２の内周側面に隅肉溶接する場合には、元々が主要部の溶接でなく単に付属部の溶接であり、しかも突き合わせ溶接でもないので、溶接部分のＸ線検査も不要となっている。加えて、滑り止めの取り付けのための隅肉溶接は、鋼管杭６の杭先端６１から杭先端側内部６２に向けての下向き溶接であるので、杭先端側６３の周囲の地盤を掘削する必要がなく、簡単に行うことができる。
【００５１】
その後、支持板２４のモルタル注入孔２４ａを通じて、杭先端側内部６２にモルタル２１を注入する。杭先端側内部６２に注入されたモルタル２１の一部は杭先端側６３の側面に形成された複数の連通孔６３ａを通ってその外周側に押し出される。そして、注入したモルタル２１が杭先端側内部６２及び杭先端側６３の外周側に十分に充填されると、注入したモルタル２１の一部がモルタル注入孔２４ａの周囲に形成した空気排出孔２４ｂから漏れ始めるので、これを確認して注入を止める。
【００５２】
注入したモルタル２１は内部モルタル受板２５によって受けられて杭先端内部６２を落下して流出するのが防がれる。同様にモルタル２１は外部モルタル受板２６によって受けられて杭先端側６３の外周側を落下して流出するのが防がれる。注入したモルタル２１が杭先端側６３の内外で硬化すると、施工用ジョイント盤１は硬化後のモルタル２１の働きによって鋼管杭６の杭先端６１に固定される。
【００５３】
このとき、従来の特開２００５−２００８７９と異なり、現場での突き合わせ溶接を不要にできる。突き合わせ溶接では溶接の品質が要求され、特に近時の構造物耐震偽装問題の発覚以降では検査が厳しくなり、突き合わせ溶接部分のＸ線検査も要求されるが、突き合わせ溶接を不要にすることにより、このような手間とコストのかかる検査を省略することができる。
【００５４】
鋼管杭６の杭先端６１が水平に切断されている場合には、施工用ジョイント盤１を鋼管杭６の杭先端６１の上に水平に取り付けることができる。しかし、鋼管杭６の中心軸ｈが水平方向の何れかの方向にずれている場合、施工用ジョイント盤１の中心軸ｈも鋼管杭６と同一状態でずれる。また、鋼管杭６が僅かに傾いて沈設されることに起因し或いは切断時の誤差に起因して鋼管杭６の杭先端６１の切断平面が水平より僅かに傾いて切断されている場合には、施工用ジョイント盤１を鋼管杭６の杭先端６１の上に水平に取り付けることができず、施工用ジョイント盤１は僅かに傾いた状態で取り付けられる。
【００５５】
施工用ジョイント盤１の支持盤２を鋼管杭６の杭先端６１に硬化したモルタル２１で固定した後、支持盤２の上部の支持板２４の表面に調整連結板３を取り付ける。計測により施工用ジョイント盤１の中心軸ｈがずれている場合には、調整連結板３で芯ずれを調整する。
【００５６】
即ち、調整連結板３の上面中心３ａに設けられた支承突起３４の上端が設置予定の建屋構造物の柱７の中心軸ｋに一致するように、調整連結板３を支持板２４の表面上をスライド移動調整させる。この場合、調整連結板３の上面中心３ａに設けられた支承突起３４の上端に接する柱７の下端のベース板７１の高さが所定の高さになるように支承突起３４の上端の高さを微調整する。また、調整連結板３の各ネジ棒３１の位置が柱７の下端のベース板７１に形成された各ネジ棒孔７２と一致させながら移動調整する。
【００５７】
調整連結板３を支持板２４の表面上をスライド移動調整して、調整連結板３の上面中心３ａに設けられた支承突起３４の上端を予定位置の建屋構造物の柱７の中心軸ｋに一致させた後、調整連結板３を支持板２４の表面に固定する。固定方法としては、前述したように隅肉溶接ａ又はボルト３５によって行われる。
【００５８】
隅肉溶接ａ（図１、図６〜図８参照）の場合には調整連結板３の周縁を溶着して支持板２４の表面に固定する。隅肉溶接ａは鋼管杭６の杭先端６１の上方で下向きの溶接であるため、杭先端側６３の周囲の地盤を掘削することなく行うことができる。また、突き合わせ溶接と異なり溶接が簡単でき、またＸ線検査なども要求されない。なお、図３〜図８においては、その正面部分の隅肉溶接ａの状況を省略している。
【００５９】
また、ボルト３５で固定する場合（図９〜図１３参照）には、調整連結板３の周縁側に穿設されているネジ孔３５ａの位置を支持板２４の対応する位置にマーキングし、現場にてネジ孔機を用いて支持板２４の対応箇所を穿設してネジ孔を形成した後、ボルト３５を調整連結板３のネジ孔３５ａを螺入挿通しその下部側を下側の支持板２４のネジ孔に螺入して、調整連結板３を支持板２４の表面に固定する。
【００６０】
調整連結板３の表面に植設された各ネジ棒３１に下部締付金具３２を螺合して取り付け、計測しながら各下部締付金具３２の上面を結ぶ仮想平面が所定高さの水平面になるように各下部締付金具３２を回しながら微調整する。各下部締付金具３２は１回転する間に螺子運動によって上下に僅かに移動するだけであるため、微調整が可能となる。
【００６１】
その後、建屋構造物の柱７の下端に固着されたベース板７１を上方から下ろし、ベース板７１に形成された各ネジ棒孔７２に調整連結板３の表面の各ネジ棒３１を相対的に挿入させて、ベース板７１を調整連結板３上に取り付ける。ベース板７１の各ネジ棒孔７２に調整連結板３の各ネジ棒３１を挿通させた後、各ネジ棒３１に上部締付金具３３を螺合して締め付けて、上部締付金具３３と下部締付金具３２とにより上下から挟圧連結支持して、建屋構造物の各柱７を各鋼管杭６の杭先端６１に施工用ジョイント盤１を介して連結支持させる。
【００６２】
以上のようにして、建屋構造物の各柱７の施工用ジョイント盤１を介して各鋼管杭６の上端に連結支持した後、必要に応じて、ネジ棒３１及び下部締付金具３２、上部締付金具３３を無収縮のコンクリートで覆う。コンクリートで覆うのはネジ棒３１及び下部締付金具３２、上部締付金具３３が腐蝕するのを回避するため及び柱７の軸力でベース板７１が変形しないようにするためである。
【００６３】
なお、この発明は上記発明を実施するための形態に限定されるものではなく、この発明の精神を逸脱しない範囲で種々の改変をなし得ることは勿論である。
【符号の説明】
【００６４】
１    施工用ジョイント盤
２    支持盤
２１    モルタル
２２    支持外筒
２２ａ  ガイド兼補強リブ
２２ｂ  滑り止め
２３    外部補強板
２４    支持板
２４ａ  モルタル注入孔
２４ｂ  空気排出孔
２５    内部モルタル受板
２５ａ  吊り具
２６    外部モルタル受板
３    調整連結板
３ａ  調整連結板の上面中心
３１    ネジ棒
３２    下部締付金具
３３    上部締付金具
３４    支承突起
３５    ボルト
３５ａ  ネジ孔
６    鋼管杭
６１    杭先端
６２    杭先端側内部
６３    杭先端側
６３ａ  連通孔
６３ｂ  滑り止め
７    建屋構造物の柱
７１    ベース板
７２    ネジ棒孔
ａ    隅肉溶接
ｈ    鋼管杭の中心軸、施工用ジョイント盤の中心軸
ｋ    建屋構造物の柱の中心軸
【図１】
2010255329.tif 000003
【図２】
2010255329.tif 000004
【図３】
2010255329.tif 000005
【図４】
2010255329.tif 000006
【図５】
2010255329.tif 000007
【図６】
2010255329.tif 000008
【図７】
2010255329.tif 000009
【図８】
2010255329.tif 000010
【図９】
2010255329.tif 000011
【図１０】
2010255329.tif 000012
【図１１】
2010255329.tif 000013
【図１２】
2010255329.tif 000014
【図１３】
2010255329.tif 000015
【図１４】
2010255329.tif 000016
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
地盤に沈設した鋼管杭を所望長さで切断し、鋼管杭の切断後の杭先端側に連通孔をあけ、注入されるモルタルが流出するのを防ぐ内部モルタル受板を杭先端側内部に挿入して取り付け、支持盤の支持外筒を支持板が上端に固定された上記支持外筒の内周側面の上端側に等間隔で放射状に複数取り付けられその上端面が該支持板の下面に当接して当該支持板を補強しその先端面が杭先端側の外周側面に当接することで当該杭先端側の外周側面を外側から補強し且つその下部側が斜め下向きの傾斜面に形成され下方に向かって拡開して支持外筒を杭先端側の外側に嵌合する場合の位置決めのガイドとして機能するガイド兼補強リブを利用して杭先端側の外周側に装着して、支持外筒の上端側に固定された支持盤の支持板を杭先端に当接して載置した後に、支持外筒の内周側と杭先端側の外周側との間に注入されるモルタルが流出するのを防ぐ外部モルタル受板を支持外筒の下端に取り付け、モルタルを杭先端側内部に注入して杭先端側内部及び支持外筒の内周側と杭先端側の外周側との間に充填し、硬化したモルタルで支持盤を杭先端側に固定し、モルタル硬化後に杭先端より広い上記支持板表面に、上面に複数のネジ棒が植設された調整連結板の上面中心の支承突起の上端が設置予定位置の建屋構造物の柱の中心軸に一致するように且つ調整連結板の各ネジ棒を建屋構造物の柱の下端に固着されたベース板に形成された各ネジ棒孔に一致するように上記調整連結板を移動調整しながら固定し、調整連結板の上面に植設された各ネジ棒に各下部締付金具をそれぞれ各下部締付金具の上面を結ぶ仮想平面が所定高さの水平面になるように微調整しながら螺合し、上記ベース板を下ろして該ベース板の各ネジ棒孔に各ネジ棒を挿通させ、上記ベース板の下面を各下部締付金具の上面に接した後に、各ネジ棒に上部締付金具を螺合して締め付けて、建屋構造物の各柱を各鋼管杭の杭先端に、上記支持盤及び調整連結板から構成される施工用ジョイント盤を介して連結支持させることを特徴とする建屋基礎の施工法。
【請求項２】
請求項１の建屋基礎の施工法において使用され、沈設された鋼管杭の切断後の杭先端と建屋構造物の柱の下端に固着されたベース板との間に取り付けられ鋼管杭の杭先端に建屋構造物の柱の下端を連結支持させる建屋基礎の施工用ジョイント盤であって、鋼管杭の杭先端側の外周側に装着され注入硬化後のモルタルで固定される支持外筒と、支持外筒の外周側面に取り付けられ上方に向かって外方に拡張する複数の外部補強板と、支持外筒の上端に固定され外部補強板で補強支持され支持外筒より広く且つ施工時に鋼管杭の切断後の杭先端に当接して載置されモルタル注入孔を有し該モルタル注入孔の周囲の杭先端側の外周側と支持外筒の内周側との間に位置するように複数の空気排出孔が形成され該杭先端より広い平面板状の支持板と、この支持板が上端に固定された上記支持外筒の内周側面の上端側に等間隔で放射状に複数取り付けられその上端面が該支持板の下面に当接して当該支持板を補強しその先端面が杭先端側の外周側面に当接することで当該杭先端側の外周側面を外側から補強し且つその下部側が斜め下向きの傾斜面に形成され下方に向かって拡開して支持外筒を杭先端側の外側に嵌合する場合の位置決めのガイドとして機能するガイド兼補強リブと、杭先端側内部に挿入されて取り付けられ鋼管杭の杭先端側内部に注入されるモルタルが杭内部を落下して流出するのを防ぐ内部モルタル受板と、支持外筒の下端に取り付けられ支持外筒の内周側と杭先端側の外周側との間に注入されるモルタルが流出するのを防ぐ外部モルタル受板と、を備えた支持盤と、
施工時に上記ベース板の下面を上面で接して支持し高さ方向微調整可能な下部締付金具と該下部締付金具と協動して上記ベース板の上面を挟圧する上部締付金具とが螺合されるネジ棒が上記ベース板に形成されたネジ棒孔位置に対応してその上面に複数植設され上面中心に上端が丸みを帯びた高さ調節自在な支承突起を備え施工時に上記ベース板の設置予定位置に合わせて上記支持盤の支持板の表面上で移動調整されて固定される調整連結板と、から少なくとも構成したことを特徴とする建屋基礎の施工用ジョイント盤。
【手続補正２】
【補正対象書類名】明細書
【補正対象項目名】０００８
【補正方法】変更
【補正の内容】
【０００８】
以上の課題を達成するために、請求項１の発明は、地盤に沈設した鋼管杭を所望長さで切断し、鋼管杭の切断後の杭先端側に連通孔をあけ、注入されるモルタルが流出するのを防ぐ内部モルタル受板を杭先端側内部に挿入して取り付け、支持盤の支持外筒を支持板が上端に固定された上記支持外筒の内周側面の上端側に等間隔で放射状に複数取り付けられその上端面が該支持板の下面に当接して当該支持板を補強しその先端面が杭先端側の外周側面に当接することで当該杭先端側の外周側面を外側から補強し且つその下部側が斜め下向きの傾斜面に形成され下方に向かって拡開して支持外筒を杭先端側の外側に嵌合する場合の位置決めのガイドとして機能するガイド兼補強リブを利用して杭先端側の外周側に装着して、支持外筒の上端側に固定された支持盤の支持板を杭先端に当接して載置した後に、支持外筒の内周側と杭先端側の外周側との間に注入されるモルタルが流出するのを防ぐ外部モルタル受板を支持外筒の下端に取り付け、モルタルを杭先端側内部に注入して杭先端側内部及び支持外筒の内周側と杭先端側の外周側との間に充填し、硬化したモルタルで支持盤を杭先端側に固定し、モルタル硬化後に杭先端より広い上記支持板表面に、上面に複数のネジ棒が植設された調整連結板の上面中心の支承突起の上端が設置予定位置の建屋構造物の柱の中心軸に一致するように且つ調整連結板の各ネジ棒を建屋構造物の柱の下端に固着されたベース板に形成された各ネジ棒孔に一致するように上記調整連結板を移動調整しながら固定し、調整連結板の上面に植設された各ネジ棒に各下部締付金具をそれぞれ各下部締付金具の上面を結ぶ仮想平面が所定高さの水平面になるように微調整しながら螺合し、上記ベース板を下ろして該ベース板の各ネジ棒孔に各ネジ棒を挿通させ、上記ベース板の下面を各下部締付金具の上面に接した後に、各ネジ棒に上部締付金具を螺合して締め付けて、建屋構造物の各柱を各鋼管杭の杭先端に、上記支持盤及び調整連結板から構成される施工用ジョイント盤を介して連結支持させる手段よりなるものである。
【手続補正３】
【補正対象書類名】明細書
【補正対象項目名】０００９
【補正方法】変更
【補正の内容】
【０００９】
また、以上の課題を達成するために、請求項２の発明は、請求項１の建屋基礎の施工法において使用され、沈設された鋼管杭の切断後の杭先端と建屋構造物の柱の下端に固着されたベース板との間に取り付けられ鋼管杭の杭先端に建屋構造物の柱の下端を連結支持させる建屋基礎の施工用ジョイント盤であって、鋼管杭の杭先端側の外周側に装着され注入硬化後のモルタルで固定される支持外筒と、支持外筒の外周側面に取り付けられ上方に向かって外方に拡張する複数の外部補強板と、支持外筒の上端に固定され外部補強板で補強支持され支持外筒より広く且つ施工時に鋼管杭の切断後の杭先端に当接して載置されモルタル注入孔を有し該モルタル注入孔の周囲の杭先端側の外周側と支持外筒の内周側との間に位置するように複数の空気排出孔が形成され該杭先端より広い平面板状の支持板と、この支持板が上端に固定された上記支持外筒の内周側面の上端側に等間隔で放射状に複数取り付けられその上端面が該支持板の下面に当接して当該支持板を補強しその先端面が杭先端側の外周側面に当接することで当該杭先端側の外周側面を外側から補強し且つその下部側が斜め下向きの傾斜面に形成され下方に向かって拡開して支持外筒を杭先端側の外側に嵌合する場合の位置決めのガイドとして機能するガイド兼補強リブと、杭先端側内部に挿入されて取り付けられ鋼管杭の杭先端側内部に注入されるモルタルが杭内部を落下して流出するのを防ぐ内部モルタル受板と、支持外筒の下端に取り付けられ支持外筒の内周側と杭先端側の外周側との間に注入されるモルタルが流出するのを防ぐ外部モルタル受板と、を備えた支持盤と、
施工時に上記ベース板の下面を上面で接して支持し高さ方向微調整可能な下部締付金具と該下部締付金具と協動して上記ベース板の上面を挟圧する上部締付金具とが螺合されるネジ棒が上記ベース板に形成されたネジ棒孔位置に対応してその上面に複数植設され上面中心に上端が丸みを帯びた高さ調節自在な支承突起を備え施工時に上記ベース板の設置予定位置に合わせて上記支持盤の支持板の表面上で移動調整されて固定される調整連結板と、から少なくとも構成した手段よりなるものである。